(57)【要約】【課題】建築物の基礎と土台とのスペーサになると共に土台と柱材との連結具となる柱固定用Ｔ字形ブロック、及びこのＴ字形ブロックを用いた建築物の立柱構造を提供すること。【解決手段】建築物の基礎１上にスペーサを介して設置される土台２と、土台２上に立設される柱材３とからなる建築物の立柱構造において、水平部４ａと垂直部４ｂとからなるＴ字形ブロック４を、柱材３の真下に位置し、水平部４ａを基礎１と前記土台２との間に挟み、かつ、垂直部４ｂを土台２に設けた貫通孔２ｃに通して土台２上に突出し、この土台２上に突出した垂直部４ｂの上部を柱材３の下端に形成したほぞ溝３ａ又はほぞ穴に嵌入して柱材３と垂直部４ｂを連結する。【選択図】図２
2009035873.tif 000002
【特許請求の範囲】
【請求項１】
建築物の基礎と土台とのスペーサになると共に、前記土台と柱材との連結具となる柱固定用Ｔ字形ブロックであって、
前記柱材の真下の前記基礎と前記土台の間に位置される水平部と、該水平部より垂直に一体に立ち上がり、前記土台に設けた貫通孔に挿通されて土台上に立ち上がり前記柱材の下端に設けたほぞ溝又はほぞ穴に嵌合される垂直部と、からなることを特徴とする柱固定用Ｔ字形ブロック。
【請求項２】
前記水平部及び垂直部は中空部を有するアルミニウム押出形材からなり、各々の中空部にリブを有している、ことを特徴とする請求項１に記載の柱固定用Ｔ字形ブロック。
【請求項３】
建築物の基礎上に隙間を開けて設置される土台と、前記土台上に立設される柱材と、からなる建築物の立柱構造において、
請求項１又は２に記載の柱固定用Ｔ字形ブロックを、前記柱材の真下に位置し、前記水平部を前記基礎と前記土台との間に挟み、かつ、前記垂直部を前記土台に設けた貫通孔に通して前記土台上に突出し、この土台上に突出した垂直部の上部を前記柱材の下端に形成したほぞ溝又はほぞ穴に嵌入して連結する、ことを特徴とする建築物の立柱構造。
【請求項４】
前記土台は、中空部を有するアルミニウム押出形材からなり、中空部内に互いに平行な２つの縦リブとを有し、
前記貫通孔は、前記土台の上下面に形成する上下の孔口と、前記土台の縦リブ間の中空部とで構成され、
前記Ｔ字形ブロックの垂直部が前記土台の貫通孔に対し前記下側の孔口より嵌合して挿入され、両側のリブに密着して前記中空部を通り前記上側の孔口に嵌合して前記土台上に突出し、前記柱材の下端と連結した、ことを特徴とする請求項３に記載の建築物の立柱構造。
【請求項５】
前記土台の貫通孔の孔口と前記柱材のほぞ溝又はほぞ穴とが同一寸法である、ことを特徴とする請求項３又は４に記載の建築物の立柱構造。
【発明の詳細な説明】
【技術分野】
【０００１】
この発明は、建築物の基礎と土台とのスペーサになると共に前記土台と柱材との連結具となる柱固定用Ｔ字形ブロック、及びこのブロックを用いた建築物の立柱構造に関するものである。
【背景技術】
【０００２】
一般に住宅などの建築物の土台構造は、鉄筋入りコンクリートの基礎を築き、この基礎には柱材の立設位置を外してアンカーボルトを立設し、このアンカーボルトにスペーサの孔を被嵌して該スペーサを基礎上に載置すると共に、柱材の立設位置にもスペーサを基礎上に載置する。そして、アンカーボルトに土台のボルト通し孔を被嵌して該土台を基礎上に載置し、アンカーボルトに座金を被嵌しナットを螺合し締め付けることで、基礎上に土台を固定し、土台に設けたほぞ孔に柱材の下端に設けるほぞを嵌入して該柱材を立設する構造である（例えば、特許文献１参照）。
【０００３】
上記構成において、スペーサを用いて基礎と土台との間に隙間に設ける理由は、通気機能確保のため、或いは土台と基礎との緩衝機能確保のためである。
【０００４】
上記のように、柱のない箇所にスペーサを設置する場合には、スペーサをアンカーボルトに被嵌するので、スペーサを位置ずれすることなく設置できる。これに対して、柱の直下にスペーサを設置する場合には、ここにはアンカーボルトを設置できないために、スペーサを単に基礎と土台との間に挟まれた状態に設置する。
【０００５】
また、別の建築物の立柱構造として、柱直下に別体の柱脚金物を用いて柱を基礎上に立設する構造のものが知られている（例えば、特許文献２参照）。
【特許文献１】特開２００６−２０７２０８号公報（段落００２８、図４）
【特許文献２】特開２００３−３２１８７８号公報（特許請求の範囲、図１，図２）
【発明の開示】
【発明が解決しようとする課題】
【０００６】
しかしながら、特許文献１に記載の技術によれば、施工時に柱直下のスペーサがずれ易く、その位置合わせが困難で施工効率が悪いという問題がある。また、特許文献２に記載の技術によれば、土台材を柱の箇所で切断しなければならない、という問題がある。
【０００７】
この発明は、上記事情に鑑みてなされたもので、建築物の基礎と土台とのスペーサになると共に前記土台と柱材との連結具となるＴ字形ブロック、及びこのＴ字形ブロックを用いた建築物の立柱構造を提供することを課題とする。
【課題を解決するための手段】
【０００８】
上記課題を解決するため、請求項１記載の発明は、建築物の基礎と土台とのスペーサになると共に、前記土台と柱材との連結具となる柱固定用Ｔ字形ブロックであって、前記柱材の真下の前記基礎と前記土台の間に位置される水平部と、該水平部より垂直に一体に立ち上がり、前記土台に設けた貫通孔に挿通されて土台上に立ち上がり前記柱材の下端に設けたほぞ溝又はほぞ穴に嵌合される垂直部と、からなるＴ字形ブロックとしたことを特徴とする。この場合、前記水平部及び垂直部は中空部を有するアルミニウム押出形材からなり、各々の中空部にリブを有し、前記垂直部にはＴ字に見える方向に貫通する中空部を有し、かつ縦リブを有する構成とするのが良い（請求項２）。ここで、アルミニウムとは、アルミニウム及び／又はアルミニウム合金を含むものとする。
【０００９】
このような構成とすることにより、Ｔ字形ブロックの水平部が建築物の基礎と土台とのスペーサになると共に、Ｔ字形ブロックの垂直部が土台に設ける貫通孔に嵌合して垂直部の上部が土台上に突出して柱材の下端に設けるほぞ溝又はほぞ穴と嵌合して連結するので、Ｔ字形ブロックの垂直部が土台と柱材との連結具となり、土台と柱材とを強固に連結できる。
【００１０】
請求項３記載の発明は、建築物の基礎上に隙間を開けて設置される土台と、前記土台上に立設される柱材と、からなる建築物の立柱構造において、請求項１又は２に記載の柱固定用Ｔ字形ブロックを、前記柱材の真下に位置し、前記水平部を前記基礎と前記土台との間に挟み、かつ、前記垂直部を前記土台に設けた貫通孔に通して前記土台上に突出し、この土台上に突出した垂直部の上部を前記柱材の下端に形成したほぞ溝又はほぞ穴に嵌入して連結する建築物の立柱構造としたことを特徴とする。
【００１１】
このように構成とすることにより、Ｔ字形ブロックの水平部が建築物の基礎と土台とのスペーサになると共に、Ｔ字形ブロックの水平部が土台の貫通孔に嵌挿一体化されＴ字形ブロックの水平部の土台より突出する上部が土台と柱材との連結具となり、土台と柱材との接合を強固に行うことができる。
【００１２】
また、請求項４記載の発明は、請求項３記載の建築物の立柱構造において、前記土台は、中空部を有するアルミニウム押出形材からなり、中空部内に互いに平行な２つの縦リブとを有し、前記貫通孔は、前記土台の上下面に形成する上下の孔口と、前記土台の縦リブ間の中空部とで構成され、前記Ｔ字形ブロックの垂直部が前記土台の貫通孔に対し前記下側の孔口より嵌合して挿入され、両側のリブに密着して前記中空部を通り前記上側の孔口に嵌合して前記土台上に突出し、前記柱材の下端と連結した、ことを特徴とする。
【００１３】
このように構成することにより、Ｔ字形ブロックの垂直部を、アルミニウム中空押出形材製の土台に設ける貫通孔を構成する両側の縦リブに密着することができ、土台上に突出した垂直部を柱材の下端に連結することができる。また、土台の貫通孔を押出形材の上下面の一部のみを切除して設けることができる。
【００１４】
また、請求項５記載の発明は、請求項３又は４に記載の建築物の立柱構造において、前記土台の貫通孔の孔口と前記柱材のほぞ溝又はほぞ穴とが同一寸法である、ことを特徴とする。
【００１５】
このように構成することにより、Ｔ字形ブロックの垂直部を段差がないストレート形状に形成することができる。
【発明の効果】
【００１６】
この発明によれば、上記のように構成されているので、以下のような優れた効果が得られる。
【００１７】
（１）請求項１記載の発明によれば、Ｔ字形ブロックの水平部が建築物の基礎と土台とのスペーサになると共に、Ｔ字形ブロックの垂直部が土台と柱材との連結具となり、土台と柱材とを強固に連結できる。また、柱材の荷重をその直下で支持することが可能となる。また、Ｔ字形ブロックの水平部を土台に固定することができるので、土台に対してＴ字形ブロックの位置がずれることなく、かつ、施工作業を容易にすることができる。
【００１８】
（２）請求項２に記載の発明によれば、アルミニウム中空押出形材で形成した長尺材を切断してＴ字形ブロックとすることができるので、上記（１）に加えて、更にこのＴ字形ブロックを軽量にすることができると共に、高強度にすることができ、かつ、アルミニウム押出形材が有する寸法精度の良さによる施工性の向上が図れる。
【００１９】
（３）請求項３記載の発明によれば、建築物の基礎と土台とのスペーサになると共に前記土台と柱材との連結具となり、土台と柱材との接合を強固にすることができる。また、柱材の荷重をその直下で支持することが可能となる。また、Ｔ字形ブロックの水平部を土台に固定することができるので、土台に対してＴ字形ブロックの位置がずれることなく、かつ、施工作業を容易にすることができる。
【００２０】
（４）請求項４記載の発明によれば、上記（２），（３）に加えて、更に土台の軽量化が図れ、Ｔ字形ブロックの垂直部を土台に形成する貫通孔に強固に一体させることができ、土台と柱材との連結を強固に行える。また、土台の貫通孔を押出形材の上下面の一部のみを切除して設けることができると共に、貫通孔の寸法精度を高めることができる。
【００２１】
（５）請求項５記載の発明によれば、上記（４）に加えて、更にＴ字形ブロックの垂直部をストレートに（段部がなく）形成でき、垂直部の土台から突出する部分を大きく確保でき、十分に大きな連結強度を確保できる。
【発明を実施するための最良の形態】
【００２２】
以下に、この発明の最良の実施形態について、添付図面に基づいて詳細に説明する。
【００２３】
図１は、この発明に係る建築物の立柱構造を示す斜視図であり、図２は、図１の一部を断面で示す拡大斜視図である。
【００２４】
この建築物の立柱構造は、建築物の基礎１上に設置される土台２と、土台２上に立設される柱材３とを、図５に示す柱固定用のＴ字形ブロック４を用いて、基礎１と土台２との間に隙間を開け、かつ土台２と柱材３とを連結する構造である。
【００２５】
基礎１は、鉄筋入りコンクリート製である。基礎１には柱材３の立設位置を外して土台２を固定するためのアンカーボルト６が立設される。
【００２６】
土台２は、中空部２ａを有する例えばアルミニウム合金製の押出形材からなる。土台２は、矩形状の中空部２ａと、互いに平行な２つの縦リブ２ｂとを有し、柱材３の立設位置に貫通孔２ｃを有する。この貫通孔２ｃは、土台２の上下面に形成する上下の孔口と、土台２の縦リブ２ｂ間の中空部２ａとで構成される。
【００２７】
柱材３は、木材にて形成されており、その下端にほぞ溝３ａを有し、かつ、ほぞ溝３ａを横切ってピン通し孔３ｂを有する。
【００２８】
Ｔ字形ブロック４は、中空部を有するアルミニウム押出形材からなる。Ｔ字形ブロック４は、水平部４ａと垂直部４ｂと有し、水平部４ａと垂直部４ｂにはＴ字に見える方向に貫通する中空部を有する。水平部４ａには、中空部を有する該水平部４ａが中程で押し潰れることを防止する一対の縦リブ４ｃを有し、また、垂直部４ｂには中空部を有する該垂直部４ｂが中程で押し潰れることを防止する横リブ４ｄを有する。一対の縦リブ４ｃは、垂直部４ｂを構成するリブと上下に一致している。垂直部４ｂの上部には、中空部を横切る水平方向にピン通し孔４ｅが設けられている。
【００２９】
なお、図５に想像線で示すように、水平部４ａの下面に、塑性変形可能な複数の針状断面の突条部又は突起部４ｆを設けてもよい。このように水平部４ａの下面に塑性変形可能な突条部又は突起部４ｆを設けることにより、水平部４ａが基礎１の上面に食い込んで密着する構成とすることができるので好適である。
【００３０】
この建築物の立柱構造は、鉄筋入りコンクリートで築かれる基礎１に、柱材３の立設位置から外れた位置にアンカーボルト６が立設され、このアンカーボルト６にスペーサ７が被嵌されスペーサ７が基礎１上に載置されると共に、柱材３の立設位置には、Ｔ字形ブロック４の垂直部４ｂが土台２に設けた貫通孔２ｃに下方から嵌挿される（図３参照）。
【００３１】
そして、アンカーボルト６に土台２のボルト通し孔（図示せず）を被嵌して土台２を基礎１上に載置し（図２〜図４参照）、アンカーボルト６に座金８を被嵌しナット９を螺合して締め付ける。これにより、基礎１上に土台２が固定されると共に、Ｔ字形ブロック４の水平部４ａが柱３の直下に設けるスペーサの役目を果たし、Ｔ字形ブロック４の水平部４ａを位置ずれすることなく設置できる。
【００３２】
そして、Ｔ字形ブロック４の垂直部４ｂの土台２上面より突出した上部に、柱材３の下端のほぞ溝３ａを被嵌し、かつ、ピン通し孔３ｂとピン通し孔４ｅとを一致させてピン５を嵌入して土台２と柱材３とが連結されている。
【００３３】
従って、この発明に係るＴ字形ブロック４は、基礎１上に載置する土台２は、基礎１に設けるアンカーボルト６で固定され、アンカーボルト６の位置のスペーサ７は位置決められる。また、柱材３の真下の位置では、Ｔ字形ブロック４が、基礎１と土台２との隙間を確保するスペーサの役目を果たすと共に、土台２と柱材３との連結手段となる。
【００３４】
すなわち、Ｔ字形ブロック４は、水平部４ａを基礎１と土台２との間に挟み、かつ、垂直部４ｂを土台２に設けられた貫通孔２ｃに通して土台２上に突出し、この土台２上に突出した垂直部４ｂの上部を柱材３の下端に形成したほぞ溝３ａに嵌入し、そして、柱材３のピン通し孔３ｂ及びＴ字形ブロック４のピン通し孔４ｅにピン５を挿し込んで連結する連結具の役目を果たす。
【００３５】
この建築物の立柱構造では、土台２の貫通孔２ｃの孔口と柱材３のほぞ溝３ａの幅とが同一寸法であり、Ｔ字形ブロック４の垂直部４ｂは、段差がないストレート形状であり、土台２の貫通孔２ｃに嵌合し、かつ柱材３のほぞ溝３ａに嵌入される。また、土台２のリブ２ｂ間の寸法と貫通孔２ｃの溝幅寸法とが同一であり、Ｔ字形ブロック４の垂直部４ｂが、段差がない形状で、土台２のリブ２ｂ間に一杯に形成した貫通孔２ｃに嵌合し、かつ前記柱材３のほぞ溝３ａに嵌入される。
【００３６】
この建築物の立柱構造によれば、Ｔ字形ブロック４の水平部４aが建築物の基礎１と土台２とのスペーサの役目を果たすと共に、Ｔ字形ブロック４の垂直部４ｂが土台２と柱材３との連結具となり、土台２と柱材３とを強固に連結できる。また、柱材３の荷重をその直下で支持することが可能となる。また、Ｔ字形ブロック４の水平部４ａを土台２に固定することができるので、土台２に対してＴ字形ブロック４の位置がずれることなく、かつ、施工作業を容易にすることができる。
【００３７】
また、この建築物の立柱構造によれば、Ｔ字形ブロック４が、アルミニウム中空押出形材からなり、水平部４ａにはＴ字に見える方向に貫通する中空部を有し、垂直部４ｂにはＴ字に見える方向に貫通する中空部を有し、かつ縦リブを有する構成であるので、アルミニウム中空押出形材で形成した長尺材を短く切断してＴ字形ブロック４としたとき、このＴ字形ブロック４の水平部４ａが土台２の圧力で潰れない強度を有し、土台２の軽量化が図れ、かつ、土台２と柱材３との接合を容易にすることができる。
【００３８】
また、この建築物の立柱構造によれば、Ｔ字形ブロック４の垂直部４ｂを土台２に設ける貫通孔２ｃを構成する両側の縦リブ２ｂに密着させられるから、Ｔ字形ブロック４の垂直部４ｂを土台２の貫通孔２ｃ内に密接した状態で嵌合でき、Ｔ字形ブロック４の垂直部４ｂの土台２上に突出する上部と、柱材３の下端とを強固に連結できる。
【００３９】
また、この建築物の立柱構造によれば、土台２の軽量化が図れ、土台２に設けるほぞ穴に代わる貫通孔２ｃを土台２の上下面の一部のみを切除して簡単に開孔でき、かつ、土台２と柱材３との接合を容易にすることができる。
【００４０】
更に、この建築物の立柱構造によれば、土台２のリブ２ｂ間寸法と貫通孔２の溝幅寸法とが同一であり、Ｔ字形ブロック４の垂直部４ｂが、段差がない形状で、土台２のリブ２ｂ間に一杯に形成した貫通孔２ｃに嵌合し、かつ柱材３のほぞ溝３ａに嵌入する構成であるので、Ｔ字形ブロック４の垂直部４ｂをストレートに（段部がなく）形成でき、垂直部４ｂの大きさを確保でき、必要な強度を確保できる。
【００４１】
なお、上記実施形態では、柱材３の下端にほぞ溝３ａを設けたが、ほぞ溝３ａに代えてほぞ孔としても良い。
【００４２】
また、上記実施形態では、土台２をアルミニウム中空押出形材で構成したが、従来と同様に、土台２が木材でもあっても良い。
【００４３】
すなわち、図６及び図７に示すように、木製の土台２Ａに、上記Ｔ字形ブロック４の垂直部４ｂが嵌挿可能な貫通孔２ｄを設けて、この貫通孔２ｄに嵌挿される垂直部４ｂの土台２Ａ上面より突出した上部に、前記と同様に、柱材３の下端のほぞ溝３ａを被嵌し、かつ、ピン通し孔３ｂとピン通し孔４ｅとを一致させてピン５を嵌入して土台２Ａと柱材３とを連結するようにしても良い。
【００４４】
なお、図６及び図７において、その他の部分は前記実施形態と同じであるので、同一部分には、同一符号を付して説明は省略する。
【図面の簡単な説明】
【００４５】
【図１】この発明に係る建築物の立柱構造を示す斜視図である。
【図２】図１の一部を断面で示す拡大斜視図である。
【図３】図１の建築物の立柱構造の立柱手順を示す分解斜視図である。
【図４】図１の立柱構造の要部断面図である。
【図５】図１の立柱構造に用いるＴ字形ブロックの斜視図である。
【図６】この発明に係る建築物の立柱構造の別の形態の一部を断面で示す拡大斜視図である。
【図７】図６の建築物の立柱構造の分解斜視図である。
【符号の説明】
【００４６】
１  基礎
２，２Ａ  土台
２ａ  中空部
２ｂ  リブ
２ｃ，２ｄ  貫通孔
３  柱材
３ａ  ほぞ溝（又はほぞ穴）
４  Ｔ字形ブロック
４ａ  水平部
４ｂ  垂直部
４ｅ  ピン通し孔
５  ピン（連結具）
【図１】
2009035873.tif 000003
【図２】
2009035873.tif 000004
【図３】
2009035873.tif 000005
【図４】
2009035873.tif 000006
【図５】
2009035873.tif 000007
【図６】
2009035873.tif 000008
【図７】
2009035873.tif 000009